(57)【要約】【課題】ランプユニットを冷却するための吸気口や排気口にほこりがたまることなく、また、ランプの破損時に、安全規格で定められた大きさ以上の破片が外部に出てしまうことのないプロジェクタを提供する。【解決手段】ランプユニット１０の排気口１８の周囲に、方向制御板９３を取り付け、排気口１８の前方及び下方を囲むように、衝立板９４を取り付ける。方向制御板９３は、上板９３１、側板９３２、下板９３３によって構成され、排気口９２１の周囲三方（メインファン７０の排気方向の上流側を除く）をコの字状に囲むように、取り付ける。また、側板９３２は、排気口１８をやや塞ぐように、ケース１６の壁１７に対して傾斜角θだけ傾斜させて設ける。ランプユニット１０内でランプが破損した場合には、この方向制御板９３によって破片の飛散方向が制御され、衝立板９４に破片を衝突させることができるので、破片の装置外部への飛散を防止できる。【選択図】図２
2007248760.tif 000002
【特許請求の範囲】
【請求項１】
外壁に吸気口及び排気口が形成され、内部にランプが設置されたランプユニットを備えたプロジェクタにおいて、
前記吸気口から吸気して前記ランプを空冷する吸気ファンと、
前記ランプユニットの排気口の前方に対向して設置され、前記排気口の下方に箱形状の底部を備えた衝立板と、
前記ランプユニットからの排気を装置本体外へ排出するメインファンと、
前記排気口の周囲であって、前記メインファンの排気の下流側に立設し、前記排気口を塞ぐ方向に傾斜した方向制御板と、
を備えたことを特徴とするプロジェクタ。
【請求項２】
外壁に吸気口及び排気口が形成され、内部にランプが設置されたランプユニットを備えたプロジェクタにおいて、
前記吸気口から吸気して前記ランプを空冷する吸気ファンと、
前記ランプユニットの排気口の前方に対向して設置された衝立板と、を備えたことを特徴とするプロジェクタ。
【請求項３】
前記ランプユニットからの排気を装置本体外へ排出するメインファンと、
前記排気口の周囲であって、前記メインファンの排気の下流側に立設する方向制御板と、を備えたことを特徴とする請求項２に記載のプロジェクタ。
【請求項４】
前記方向制御板は、前記排気口を塞ぐ方向に傾斜したことを特徴とする請求項３に記載のプロジェクタ。
【請求項５】
前記衝立板は、前記排気口の下方に箱形状の底部を備えたことを特徴とする請求項２乃至４のいずれかに記載のプロジェクタ。
【発明の詳細な説明】
【技術分野】
【０００１】
この発明は、プロジェクタのランプの破損時に、ランプの破片が本体外部へ飛散するを防止する構造に関する。
【背景技術】
【０００２】
従来、ディジタル・マイクロミラー・デバイス（ＤＭＤ）や、液晶表示デバイス等の画像表示デバイスに対してランプから光を照射して、この画像表示デバイスに表示させた画像をスクリーンに投影する方式のプロジェクタが普及しつつある。
【０００３】
このようなプロジェクタでは、光源として使用するランプが何らかの理由で破損することがある。そのため、ユーザがランプの破片で怪我をしないように、ランプが破損した際に、破片が外部に直接飛散することがないように構成したプロジェクタや投写型表示装置に関する発明が開示されている（例えば、特許文献１，２参照。）。
【特許文献１】特開２００１−２１６５３６号公報
【特許文献２】特開２００３−３４４９４９号公報
【発明の開示】
【発明が解決しようとする課題】
【０００４】
特許文献１に記載の液晶プロジェクタは、ランプを冷却するためにランプユニット内に空気の流路が形成されている。そして、金属板に孔が複数打ち抜かれ通気可能とする通気部分が吸気口及び排気口として設けられている。しかしながら、通気部分が、上記のような構造であるため、使用しているうちに孔やその周囲にほこりが付着して通気性が悪くなり、ランプを効率良く冷却できなくなるという問題があった。
【０００５】
また、特許文献２に記載の投写型表示装置では、光源ユニットの排気口に排気ファンが取り付けれられているため、ランプが破裂した場合に、破片の大半がダクトの内壁に衝突するものの、排気口から排気流の速度にほぼ等しい速度で、安全規格で定められた０．８ｍｍ２  以上の大きさの破片が一部、装置の外部に飛散してしまうという問題があった。
【０００６】
そこで、本発明は、ランプユニットを冷却するための吸気口や排気口にほこりがたまることなく、また、ランプの破損時に、安全規格で定められた大きさ以上の破片が外部に出てしまうことのないプロジェクタを提供することを目的とする。
【課題を解決するための手段】
【０００７】
この発明は、上記の課題を解決するための手段として、以下の構成を備えている。
【０００８】
（１）外壁に吸気口及び排気口が形成され、内部にランプが設置されたランプユニットを備えたプロジェクタにおいて、
前記吸気口から吸気して前記ランプを空冷する吸気ファンと、
前記ランプユニットの排気口の前方に対向して設置された衝立板と、を備えたことを特徴とする。
【０００９】
この構成においては、ランプが何らかの理由で破損した場合、吸気ファンはランプユニットの吸気口から吸気を行っている。したがって、この吸気口からランプの破片が飛散するのを防止できる。また、ランプユニットの排気口の前方に、排気口と対向して衝立板を設置している。したがって、排気口からランプの破片が飛散したとしても、衝立板に衝突して落下するので、プロジェクタの外部へのランプの破片の飛散を防止できる。さらに、この構成では、排気口に網を取り付けなくても、ランプの破片の飛散を防止できるので、排気口にほこりがたまって通気性が悪くなるのを防止できる。
【００１０】
（２）前記ランプユニットからの排気を装置本体外へ排出するメインファンと、
前記排気口の周囲であって、前記メインファンの排気の下流側に立設する方向制御板と、を備えたことを特徴とする。
【００１１】
この構成においては、メインファンによってランプユニットの排気が本体外へ排出され、ランプユニットの排気口の周囲には、メインファンの排気方向の下流側に方向制御板が設けられている。したがって、ランプユニットのランプが破損して、ランプの破片がランプユニットの排気口から飛散しても、方向制御板によって、メインファンの排気方向下流側に飛散するの防止できる。
【００１２】
（３）前記方向制御板は、前記排気口を塞ぐ方向に傾斜したことを特徴とする。
【００１３】
この構成においては、メインファンの排気方向の下流側に設けられた方向制御板が、排気口を塞ぐ方向に傾斜して設置されている。したがって、ランプが破損した際に、ランプの破片は装置の中央方向に飛散するので、プロジェクタの外部へのランプの破片の飛散を防止できる。
【００１４】
（４）前記衝立板は、前記排気口の下方に箱形状の底部を備えたことを特徴とする。
【００１５】
この構成においては、排気口の下側に設けられた衝立板の底部が、箱形状に成形されている。したがって、ランプが破損した際に、ランプの破片が衝立板に衝突すると、箱形状の底部に落下するので、衝立板によって飛散する破片を回収できる。
【発明の効果】
【００１６】
本発明によれば、ランプユニットの吸気口側に吸気ファンを設け、排気口の前面及び下面には一定の間隔を開けて衝立板を設けている。これにより、ランプユニット内でランプが破損して、ランプユニットの吸気口からランプの破片が飛散した場合、破片は衝立板に衝突・落下する。したがって、プロジェクタの本体外部に破片が飛散するのを防止できる。また、ランプユニットの排気口の周囲には、方向制御板が設けられている。また、この方向制御板は、排気口からプロジェクタの本体中央に向けて排気されるように向きが設定されている。そのため、ランプが破損した際には、ランプの破片は、プロジェクタの本体中央方向に飛散するので、プロジェクタの外部にランプの破片が飛散するのを確実に防止できる。
【発明を実施するための最良の形態】
【００１７】
図１は、プロジェクタ内部の概略構造を示す斜視図である。プロジェクタ１は、ランプユニット１０、画像投射ユニット３０、電源基板４０，４１、制御基板５０、メインファン６０、及びメインファン７０を備えている。これらは、それぞれ筐体８０に取り付けられている。ランプユニット１０は、画像投射用の光を出射する。画像投射ユニット３０は、ＤＭＤ等の画像表示デバイスやカラーホイール（不図示）を備えている。画像投射ユニット３０は、画像表示デバイスにて形成した画像を、ランプユニット１０からの光を用いて投射レンズ３１から投射する。電源基板４０，４１は、ランプユニット１０等に電源を供給する。制御基板５０は、画像投射ユニット３０が備える不図示のカラーホイールや画像表示デバイス等の動作を制御する。
【００１８】
メインファン６０，７０は、プロペラファンであり、筐体８０の一方の側面に形成された吸気口８１，８２に対して取り付けられている。メインファン６０，７０は、吸気口８１，８２から外気を吸入し、筐体８０の反対側の側面に形成された排気口８３，８４から排気する。これにより、プロジェクタ１の本体内部は空冷される。なお、図１では、メインファン６０，７０による気流の方向を白矢印６１，７１で示している。また、プロジェクタ１は、ランプユニット１０の空冷用に吸気ファン９１を備えている。吸気ファン９１は、メインファン６０，７０によって本体内部に送られた空気を吸い込んでランプユニット１０内に設けられたランプを冷却する。ランプユニット１０から排出された空気は、メインファン６０，７０によって本体外部へ排出される。
【００１９】
図２は、ランプユニットの概略の構成を示す上面透視図である。図３は、ランプユニット及びその周囲の構造を示す斜視図である。図２に示すように、ランプユニット１０は、ランプバルブ１２とリフレクタ１３を備えたランプ１１、フロントカバー１４、リアカバー１５、ランプバルブ１２に電力を供給する不図示のケーブル等を備えており、ケース１６に収納されている。フロントカバー１４は、ランプバルブ１２からの光を投射する投射口１４１、及びランプ１１を空冷するための吸気口１４２を備えている。フロントカバー１４は、ランプ１１の前側に取り付けられている。
【００２０】
リアカバー１５は、ランプバルブ１２を冷却した空気を排出するための排気口１５１を備えている。また、排気口１５１は、ケース１６の壁１７に形成された排気口１８に連通している。リアカバー１５は、ランプ１１の後ろ側に取り付けられている。
【００２１】
また、図２，３に示すように、ランプユニット１０には、吸気ファン９１、ダクト９２、方向制御板９３、及び衝立板９４が取り付けられている。吸気ファン９１は、シロッコファンであり、ダクト９２に接続されている。ダクト９２は、その排気口９２１がランプユニット１０におけるフロントカバー１４の吸気口１４２に接合されている。方向制御板９３は、上板９３１、側板９３２、下板９３３によって構成されている。方向制御板９３は、排気口１５１（１８）の周囲三方、すなわち排気口１５１（１８）の上下及びメインファン７０の排気７３の下流側をコの字状に囲むように、取り付けられている。また、側板９３２は、排気口１８をやや塞ぐように、ケース１６の壁１７に対して、プロジェクタ１の本体中央方向に傾斜角θだけ傾斜している。方向制御板９３は、ランプユニット１０からの排気の方向制御、及びランプ１１が破損した場合の破片の飛び出し防止のために設けられている。
【００２２】
衝立板９４は、側板９４１及び下板９４２によって構成される。衝立板９４は、排気口１５１（１８）及び方向制御板９３の前方及び下方をＬ字状に囲むように、方向制御板９３から一定の距離をおいて取り付けられている。衝立板９４は、ランプ１１が破損した場合の破片の飛び出し防止のために設けられている。
【００２３】
次に、プロジェクタ１の本体内部及びランプユニット１０には、図２に白矢印７１〜７６、及び黒矢印１０１〜１０９で示すような空気の流れにより冷却される。まず、吸気ファン９１は、メインファン７０によって本体内部に送られた空気を吸い込み、ダクト９２を介してフロントカバー１４内に送気する。フロントカバー１４内に送られた空気は、ランプ１１のリフレクタ１３の周囲を通過して、リアカバー１５の排気口１５１から排出される。このとき、排気口１５１から排出される空気は、方向制御板９３によって排出方向が制御されて、装置本体の中央側向けて排出される。そして、排気口１５１から排出された空気は、衝立板９４に当たり、メインファン７０の送気とともに、装置本体外部に排出される。
【００２４】
また、プロジェクタ１は、何らかの理由によりランプ１１が破損した場合には、以下に説明するように、方向制御板９３及び衝立板９４によりランプ１１の破片が、ランプユニット１０を冷却する空気とともに排気口１５１から排出されて、プロジェクタ１の本体外部に排出されるのを防止する。
【００２５】
前記のように、衝立板９４は方向制御板９３に対して一定の距離を開けて設置されているので、メインファン７０による気流は、方向制御板９３及び衝立板９４の間も通過する。方向制御板９３を通過する気流７４は、側板９３２に衝突して、排気口１５１から排出される気流１０９の方向に流れる。そして、衝立板９４の側板９４１に衝突して、気流７４の方向に流れる。したがって、何らかの理由でランプ１１が破損して、排気口１５１（１８）からの排気にランプ１１の破片が含まれていた場合、その破片は、一部が方向制御板９３の側板９３２には衝突して落下する。また、破片の大半は、衝立板９４の側板９４１に衝突して落下する。したがって、ランプユニット１０からの排気にランプ１１の破片が含まれていたとしても、方向制御板９３と衝立板９４により、破片が除去されるので、メインファン７０の送気により、装置本体外部に排出される。
【００２６】
また、前記のように方向制御板９３の側板９３２は、ケース１６の壁１７に対して傾斜角θだけ傾斜している。そのため、側板９３２は、ランプユニット１０からの排気にランプ１１の破片が含まれていた場合に、破片をプロジェクタ１の本体中央方向に飛散するように、気流の方向を制御する。これにより、破片が衝立板９４の下板９４２の外に飛散するのを防止できる。
【００２７】
図４は、ランプユニット及びその周囲の図３とは別の構造を示す斜視図である。また、衝立板９４は、Ｌ字形状に限るものではなく、他の形状であっても良い。例えば、衝立板９４は、下板９４２を蓋のない箱形状にすると良い。これにより、衝立板９４は、ポケットのようになるので、破片が衝立板９４の下板９４２から外部に落ちることなく、衝立板９４の下板９４２の上に破片を蓄積することができる。
【００２８】
また、衝立板９４には、スポンジなどの緩衝材を貼り付けるようにしても良い。これにより、ランプ１１の破片が衝立板９４に衝突した際に、破片の速度を落とすことができる。したがって、破片が衝立板９４に衝突後に跳ね返って、再度排気とともに、プロジェクタ１の本体外部に排出されるのを防止できる。
【００２９】
また、衝立板９４は、例えば金網などを使用してメッシュ状にすることも可能である。このとき、ランプ１１の破片が、メッシュ状の衝立板９４を通過して、電源基板４０，４１や制御基板５０等に飛散しないように、メッシュのサイズを調整すると良い。
【００３０】
また、筐体８０の反対側の側面に形成された排気口８３，８４には、交換可能な網を取り付けると良い。このとき、網の目のサイズは、安全規格で定めらたサイズ以上のランプ１１の破片がプロジェクタ１の本体外部に飛散しないような大きさのものを使用すると良い。これにより、方向制御板９３及び衝立板９４により全ての破片を落下させることができなかった場合でも、安全規格で規定された０．８ｍｍ２  以下の破片のみがプロジェクタ１の本体外部に排出されるようになる。
【００３１】
以上のように、ランプユニット１０のランプが何らかの理由で破損して、その破片が排気とともに排出されたとしても、方向制御板９３及び衝立板９４に破片を衝突させることができる。これにより、ランプ１１の破片がプロジェクタ１の本体外部に排出されることがない。また、破片が万が一排出された場合でも、安全規格で規定された０．８ｍｍ２  以下のサイズの破片のみが排出されるようにすることができる。
【図面の簡単な説明】
【００３２】
【図１】プロジェクタ内部の概略構造を示す斜視図である。
【図２】ランプユニットの概略の構成を示す上面透視図である。
【図３】ランプユニット及びその周囲の構造を示す斜視図である。
【図４】ランプユニット及びその周囲の図３とは別の構造を示す斜視図である。
【符号の説明】
【００３３】
１−プロジェクタ    １０−ランプユニット    １１−ランプ    １２−ランプバルブ    １３−リフレクタ    １４−フロントカバー    １４Ｔ−当接部    １４Ｔ１−通気口    １５−リアカバー    １６−ケース    １７−壁    １８−排気口    ３０−画像投射ユニット    ３１−投射レンズ    ４０，４１−電源基板    ５０−制御基板    ６０，７０−メインファン    ８０−筐体    ８１，８２−吸気口    ８３，８４−排気口    ９１−吸気ファン    ９２−ダクト    ９３−方向制御板    ９４−衝立板
【図１】
2007248760.tif 000003
【図２】
2007248760.tif 000004
【図３】
2007248760.tif 000005
【図４】
2007248760.tif 000006